(57)【要約】キーパッドは、ハウジング（１８）を通して突出しているキー（１２）を有し、ハウジング（１８）は、キー（１２）の各隣接するセット間にほぼ等間隔で位置する少なくとも１つの少し離れたセンサ（２０）を備えている。各キー（１２）は、下に位置する触感フィードバック要素（３２）と、上に表示された主グラフィック（１０）とを有している。追加機能（１４）を識別するグラフィックは、主グラフィック（１０）に対し中央から外れて配置されている。ロケータ小塊（１６）は、キー（１２）の各隣接するセット間に、ほぼ等間隔で位置している。
2005525634.tif 000002
【特許請求の範囲】
【請求項１】
関連する中心機能と、１つまたは複数の関連する周辺機能とをそれぞれ有するキー（１２）のアレイを有するキーパッドであって、各中心機能が、前記キーの中央領域を手動で係合することによって作動され、一方で、各周辺機能が、前記キーの対応する周辺領域を手動で係合することによって作動されるキーパッド。
【請求項２】
少なくとも１つの対応するキー（１２）のスイッチ（３０）を作動させる指のオフセット位置にそれぞれ対応する少し離れた指位置センサ（２０）のアレイを含む、請求項１に記載のキーパッド。
【請求項３】
前記指位置センサ（２０）が、前記キー（１２）の隣接するキー間に配置されている、請求項２に記載のキーパッド。
【請求項４】
各キー（１２）が３以上の機能を提供し、各キーが２以上の隣接する位置センサ（２０）を有し、各センサが異なるキー出力に対応する、請求項２または請求項３に記載のキーパッド。
【請求項５】
前記指位置センサ（２０）が、電気静電容量における変化によって指位置を検出する、請求項２〜４のいずれか一項に記載のキーパッド。
【請求項６】
各指位置センサ（２０）が、キー（１２）のそれぞれの対の間にほぼ等距離に位置している、請求項２〜５のいずれか一項に記載のキーパッド。
【請求項７】
前記キーアレイが、４つのキー（１２）の隣接するセット間の隙間領域（２１）を画定し、各隙間領域が、２つの指位置センサ（２０）を含む、請求項２〜５のいずれか一項に記載のキーパッド。
【請求項８】
前記キーアレイが、４つのキー（１２）の隣接するセット間の隙間領域（２１）を画定し、各隙間領域が、４つの指位置センサ（２０）を含む、請求項２〜５のいずれか一項に記載のキーパッド。
【請求項９】
各キー（１２）が、前記キーの前記関連する中心機能に対応する中央グラフィック（１０）のラベルを付けられている、請求項１〜８のいずれか一項に記載のキーパッド。
【請求項１０】
各キー（１２）が、また、前記キーに関連する周辺機能に対応する周辺グラフィック（１４）のラベルを付けられている、請求項９に記載のキーパッド。
【請求項１１】
前記キーに関連する前記周辺機能に対応する、各キー（１２）に隣接する周辺グラフィック（１４）のラベルを付けられた、請求項９に記載のキーパッド。
【請求項１２】
関連するキー（１２）の下にあり、かつ他の入力が何もないときに作動されて、前記キーの前記中心機能に関連する出力を生成する別個のスイッチ（３０）を含む、請求項１〜１１のいずれか一項に記載のキーパッド。
【請求項１３】
前記スイッチ（３０）がスナップドームを含む、請求項１２に記載のキーパッド。
【請求項１４】
前記周辺機能が、キースイッチ（３０）と隣接する指位置センサ（２０）との間の指位置を静電容量的に感知することによって作動される、請求項１２または請求項１３に記載のキーパッド。
【請求項１５】
各スイッチ（３０）が、周辺機能に対応するキャパシタの第１の側面として働き、各センサ（２０）が、前記周辺機能に対応する前記キャパシタの第２の側面として働く、請求項１４に記載のキーパッド。
【請求項１６】
開口部を画定するハウジング（１８）に組み立てられたキーマット（２４）の形状をしており、前記開口部を通って前記キーマットの個別キー（１２）が突出している、請求項１〜１５のいずれか一項に記載のキーパッド。
【請求項１７】
前記センサ（２０）が、前記ハウジング（１８）の下面または前記キーマット（２４）の表面に配置されている、請求項１６に記載のキーパッド。
【請求項１８】
各キー（１２）が４つの周辺機能を有している、請求項１〜１７のいずれか一項に記載のキーパッド。
【請求項１９】
前記キーパッドの露出した表面における前記キー（１２）の間に触感要素（１６）をさらに含む、請求項１〜１８のいずれか一項に記載のキーパッド。
【請求項２０】
前記触感要素が、前記キーパッドの前記露出した表面から突出している小塊（１６）を含む、請求項１９に記載のキーパッド。
【請求項２１】
ハウジング（１８）の穴を通って突出している物理的キー（１２）の画定されたセットを有するキーパッドであって、各キーが、下にある電気的スイッチ（３０）を有するキーパッドからユーザ入力を判定する方法であって、
前記キー（１２）の１つに対応するスイッチ（３０）の作動を検出することと、
前記キーパッド内の少し離れた指センサ（２０）のアレイからの信号に基づいて、前記作動されたスイッチ（１２）に対応する前記キー（１２）の中央領域に対して、指位置を検出することと、
前記キーの前記中央領域からオフセットされた指位置を検出すると、前記キーに関連する周辺機能に対応する出力を供給し、そうでなければ、前記キーに関連する中心機能に対応する出力を供給することと、
を含む方法。
【請求項２２】
各キーが、前記キーの前記中心機能に対応するグラフィック（１０）と、前記キーの前記周辺機能に対応する１つまたは複数のグラフィック（１４）との両方のラベルを付けられている、請求項２１に記載の方法。
【請求項２３】
各キー（１２）が、前記キーの前記中心機能に対応するグラフィック（１０）のラベルを付けられ、前記ハウジング（１８）が、前記キーの前記周辺機能に対応するグラフィック（１４）のラベルを付けられている、請求項２１に記載の方法。
【請求項２４】
ユーザが所与のキーに対して指を置くのを助けるために、前記キーパッドが、前記キーパッドの露出した表面における前記キー（１２）間に触感要素（１６）を含む、請求項２０〜２２のいずれか一項に記載の方法。
【請求項２５】
各スイッチ（３０）が、周辺機能に対応するキャパシタの第１の側面として働き、各センサ（２０）が、前記周辺機能に対応する前記キャパシタの第２の側面として働く、請求項２０〜２４のいずれか一項に記載の方法。
【発明の詳細な説明】
【発明の開示】
【０００１】
技術分野
本発明は、一般に、手動データ入力用キーパッドに関し、特に、それぞれが多数の関連する機能を有する別個のキーを備えたようなキーパッドに関する。
【０００２】
背景
過度の機械的複雑さ、材料またはサービスコストなしに、狭い空間に多くの出力部（例えば、数字、文字、句読記号および所定の動作など）を備えたキーパッドを提供することが望ましい。実際には、各入力には、単一で明瞭な触感フィードバックを伴うべきであり、各キーは、人の指一本で簡単かつ確実に操作され、所望の入力を提供するようにすべきである。キーパッドの設計で最も困難な側面の１つは、「程よい」触感を提供することである。この見たところ単純なタスクは、業界内で悪評が高く、人々が、製品を手に取り、単にキーを押すことによって、（購入のために）製品をテストするので、キーが程よい「感じ」がしない場合には、製品を割引することで広く知られている。
【０００３】
多数の出力、好ましくはキー当たり最高５出力を供給するように、各「従来の」キーを構成することがさらに望ましい。「従来のキー」によって意味することは、キーが押されたときにスイッチが閉じるように、関連するスイッチ要素の上に配置された別個のキーまたはキー領域である。典型的には、このようなキーはまた、関連する別個の触感フィードバック要素を備えており、そのなかには（例えば、ポリドームまたは金属のスナップドーム）さらに、別個のスイッチ機能を提供するものもある。
【０００４】
いくつかのキーパッドレイアウトおよびキー群によって、標準としての普遍的な認識が発展してきた。例えば、標準１２キー電話キーパッドレイアウトは、数と文字との関連を確立したが、文字「ＡＢＣ」は数「２」と関連し、「ＰＯＲＳ」は数「７」と関連する等である。本出願を通して、電話キーパッドを、本発明における一適用例として用いる。しかしながら、この技術は、電話キーパッドとともに使用することに、必ずしも限定されるわけではなく、関連する中心機能（例えば、電話キーパッドの「数」）および周辺機能（例えば、電話キーパッドの文字）を有するキーを備えた任意のキーパッドに適用可能である。任意の符号、英数字または他のもの用いてもよい。
【０００５】
この後者の配置に関するさらなる背景情報が、本出願人による、係属中の米国仮特許出願番号６０／３７９，２４１号明細書（２００２年５月１０日出願）および６０／４０１，１７５号明細書（２００２年８月５日出願）に見出すことができるが、これらの内容全てを、参照により、本明細書に援用している。
【０００６】
概要
本発明は、それぞれが、関連する中心機能および１つまたは複数の関連する周辺機能を有するキーまたはキー領域のアレイを備えたキーパッドを特徴とする。中心機能は、キーの中央領域を手動で係合する（engaging）こと（すなわち、押すかまたは触れること）によって作動させ、一方で、各周辺機能は、キーの周辺領域（中央からオフセットされた領域）を手動で係合することによって作動させる。
【０００７】
現下の好適な実施形態において、キーパッドには、関連するキーの下にあり、かつ他の入力が何もないときに作動されて、キーの中心機能と関連する出力を生成する別個のスイッチが含まれる。スイッチは、スナップドームスイッチなど、キーパッド設計分野の当業者には周知の、任意の従来技術とすることができる。さらに、キーパッドには、所与のキーのスイッチを作動させる指のオフセット位置にそれぞれ応答する、少し離れた（at-a-distance）指位置センサのアレイが含まれる。
【０００８】
配列によっては、指位置センサは、隣接するキー間に配置されている。キー当たり３以上の機能が望ましい場合には、各キーが２以上の隣接する位置センサを有し、各センサが異なるキー出力に対応するのが好ましい。センサは、大きな単一アレイに形成することが可能である。
【０００９】
少し離れた指の感知は、静電容量技術および反射赤外線技術などの様々な手段で達成してもよいが、現在のところ、静電容量感知が好ましい。
【００１０】
実施形態によっては、単一で別個の静電容量センサが、従来のキーの間に、ほぼ等距離で位置している。絶対的または相対的な静電容量変動を測定することによって、システムは、ユーザの指が、キーの中央に置かれているのか、または意図的に中央から外れているのかを判定する。指が中央から外れている場合には、システムは、これを次の意味だと解釈する。すなわち、ユーザは、補助機能、好ましくは、選択したキーの中央から外れてグラフィックにより表現された機能であって、ユーザが指を置いた方向の機能にアクセスすることを意図しているという意味である。各センサは、キーパッドの位置に固定されているので、ユーザの意図は、容易に判定可能である。
【００１１】
場合によっては、小さな小塊がキーの間に含まれ、ユーザに、指を正確に中央から外して置くのに役立つ触感的な基準を提供する。
【００１２】
適用例によっては、複数のセンサが、隣接するキー間の各隙間領域に配置されている。これらのセンサは、機能によりセットに構成して、システムが、キーに対する、ユーザの指の方向を判定可能なようにしてもよい。特定のキーの下のキースイッチが作動されたときには、システムは、そのキーに関連する多数の機能のうちどれが意図されたものであるかを、キー中央に対する感知された指の位置に基づいて判定する。
【００１３】
各キーには、キーの中心機能に対応する中央グラフィック要素を設けるのが好ましい。また、各周辺機能は、キー自体かまたはキーに隣接するハウジング表面のどちらかに付けた別個のグラフィック要素によって識別するのが好ましい。
【００１４】
キーパッドは、個別キーがそこを通って突出している開口部を画定するハウジングに組み合わせた基板形状（substrate）であっても、または露出した基板形状であってもよい。
【００１５】
本発明の別の態様によると、キーパッドからのユーザ入力を判定する方法が提供されるが、このキーパッドは、ハウジングの穴を通して突出している物理的キーの画定されたセットを有し、各キーには、その下に電気的スイッチがある。この方法には、キーの１つに対応するスイッチの作動を検出すること、およびキーパッド内の少し離れた指センサのアレイからの信号に基づいて、作動されたスイッチの対応するキーの中央領域に対する指位置を検出することが含まれる。キーの中央領域からオフセットされた指位置を検出すると、キーに関連する周辺機能に対応する出力が供給される。そうでなければ、キーに関連する中心機能に対応する出力が供給される。
【００１６】
場合によっては、各キーには、その中心機能に対応するグラフィックおよびその周辺機能に対応する１つまたは複数のグラフィックの両方のラベルが付けられている。いくつか他の場合には、各キーには、その中心機能に対応するグラフィックのラベルが付けられ、ハウジングには、キーの周辺機能に対応するグラフィックのラベルが付けられている。
【００１７】
本発明の様々な態様は、キー当たり多数の機能を提供することによって、各追加機能のために多数のキーを操作する必要なしに、所与の数の機能をサポートするのに必要なキーパッド空間を低減することができる。適切なグラフィックにより、多機能キーの各機能は、訓練を受けていない操作者が、別々に、直接におよび直感的にアクセス可能である。さらに、これらの追加機能は、接触スイッチおよび触感フィードバック要素の数を増加せずに取得可能である。例えば、１２の関連スイッチおよび触感要素を有する１２の別個のキーを備えた従来の電話レイアウトの場合には、キー当たり４つの別個の四分円への指のオフセットを感知する能力を含めば、６０の完全な出力（すなわち、キー当たり５）が可能となる。
【００１８】
これらの実施形態における利点の一つは、標準の触感フィードバックスイッチ要素および方法を用いてもよいことであり、その結果として、設計者は、スイッチおよび感触性能の特定の品質をユーザに提供することにおいて得た経験年数の恩恵を十分に受けることが可能である。同様に、ユーザは、一般のキーパッドから、および／または特定のブランドの品質標準から期待するようになった触感経験（tactile experience）の恩恵を受ける。
【００１９】
本発明における１つまたは複数の実施形態の詳細は、以下の添付の図面および説明で述べる。本発明の他の特徴、目的および利点は、説明および図面ならびに特許請求の範囲から明らかとなるであろう。
【００２０】
様々な図面における同じ参照符号は、同じ要素を示す。
【００２１】
詳細な説明
図１に、補助機能グラフィック１４による出力に利用可能なアルファベットおよび句読記号文字を備えた電話キーパッドを示す。本実施形態において、主グラフィック文字１０は数字であり、従来のキー１２の中央に位置し、補助機能グラフィック１４（ここではアルファベットとして示す）は、従来のキーの上側左、下側左、上側右および下側右に配置されている。この配列に関連し、システムは、これら４つの四分円に対する指位置を判定できるだけでなく、センサ２０からの信号の様々な組み合わせによって、上、下、左および右の指位置も判定することができる。ロケータ小塊（locator nubs）１６が、隣接するキーからほぼ等距離でハウジング１８に配置され、また、周辺部に含まれ、間隔を開けられて、パターンを完成させる。任意のロケータ小塊１６のサイズは、かなり小さく、ちょうど感じられるくらいの大きさが好ましく、それによって、指を正確に中央からはずして置くのを助ける触感の基準をユーザに提供する。ロケータ小塊１６を用いていてもいなくても、隙間センサ２０によって、ユーザの指が、従来のキー１２の中央に置かれているかどうかを検出することができ、中央に置かれていない場合には、指が、どの四分円に向かって移されているかに関する指示が可能となる。例えば、番号「８」の周りの４つのセンサが、指はキーの中央に置かれていると示す場合には、システムは、下にあるスイッチ３０が作動されたときには、出力「８」を生成する。番号「８」の周りの４つのセンサが、指はキーの下側左に移されていると示す場合には、システムは、スイッチ３０が作動されたときには、出力「Ｖ」を生成する。全ての場合において、ユーザは、一本の指を用いて単一のキーを押し、単一のフィードバックを受け取ることができる。ロケータ小塊１６の目的は、ユーザが指を正確に置くのを助け、ユーザが補助機能の使用を意図していることを最終的に確認するためには、指２５を中央からどれくらい離して置くべきかを示すことである。ロケータ小塊１６は、小さな点、マウンドまたは円状のものなど、様々な形状であってもよい。
【００２２】
図２に、追加文字を識別するグラフィックがハウジング１８に位置している代替実施形態を示す。本実施形態は、他の点では図１の実施形態と同じであるが、指位置センサが、簡潔のために省略されている。各補助機能グラフィック１４は、それと最も近い位置にあるスイッチ３０（およびそれによって主グラフィック文字１０）と関連している。
【００２３】
図３に、センサ２０およびスイッチ３０のアレイを示す。各スイッチ３０は、キーパッドの従来のキーの下に配置されている。スイッチ３０は、ゴムドーム、ポリドーム、金属ドーム等であってもよい。本実施形態において、スイッチ３０は、独立した線、アレイまたは多重化のどちらかで（with independent lines, an array, or multiplexed）、独立にアドレス指定できる。より重要なこととして、各センサ２０は、スイッチ３０間の単一の隙間領域に関連している。各センサ２０は、単一の導電プレートで構成してキャパシタの一方の側面を形成し、キャパシタの他方の側面は、作動用の指によって提供してもよい。代替として、各センサ２０が、「開いた」キャパシタの両方の側面を形成する２つの導電プレートを含んでもよく、感知された指は、その存在により、寄生効果を有するとともに、２つのキャパシタを直列にする効果を提供する。別の例においては、各センサ２０は、感知線の２つの直角格子の交点である（theintersection of two perpendicular grids of sense lines）。他の多くの静電容量感知技術が当該技術分野において周知であり、タッチセンシティブなエレベータボタンなどの様々な適用例に見出される。
【００２４】
キーパッドを操作して所望の出力を生成するために、ユーザは、単に、自分の指を所望の出力に対応するグラフィックの上に置き、関連するキーを押して、下にあるスイッチを作動させる。スイッチが作動されたことを感知すると、システムは、単一のセンサ２０からの、所与の閾値を超える信号によってか、または相対的な信号レベルのどちらかによって、ユーザが、中央に配置されたグラフィック１０に対応する中心機能、または周辺グラフィック１４の一つに対応する補助機能を作動させるつもりであったのかを判定する。前者のタイプの一例として、図１の実施形態を参照すると、番号「８」の下のセンサ２０が作動されたとき、「８」および「＊」のラベルが付いたボタンのすぐ間のセンサ２０（すなわち、図３で、「ｎ」のラベルが付いたセンサ）によって測定された静電容量値が、所定の閾値を超える場合には、システムは、文字「Ｖ」を出力する。後者のタイプの一例として、番号「８」の下のセンサ２０が作動されたとき、「８」および「※」のラベルが付いたボタンのすぐ間のセンサ２０によって測定された静電容量値が、「８」ボタンにすぐ隣接する他の３つのセンサ２０で測定された静電容量値よりも不釣合いに高い場合には、システムは、文字「Ｖ」を出力する。このアルゴリズムには、意図した補助機能グラフィック１４とは反対側に位置するセンサ２０からの信号の欠如（または減少）を含んでもよい。スイッチ３０、特に、スイッチ３０の触感フィードバック金属ドーム要素は、ローカルキャパシタの一方の側面として用いてもよい。
【００２５】
図４に、センサ２０およびスイッチ３０のアレイの別の実施形態を示すが、各スイッチ３０には、センサ２０の関連したセット（「ａ」、「ｂ」、「ｃ」および「ｄ」とラベルが付けられている）が備えられており、このセットの各メンバは、他のスイッチ３０の回りに複製されている。すなわち、「ａ」とラベルを付けられたセンサ２０の全ては、制御アルゴリズムが、センサ「ａ」のうち異なるものの作動を区別しないという意味で、互いに電気的に等価である。同じことが、各セットにおける他の３つのラベルを付けられたセンサ（「ｂ」、「ｃ」および「ｄ」）にも当てはまる。結果として、コントローラとの必要とされる接続がより少なくなり、この場合には、わずか４である。しかしながら、本実施形態には、図３の実施形態よりも、より正確なアナログ処理が必要とされる。スイッチ３０、特に、スイッチ３０の触感フィードバック金属ドーム要素は、ローカルキャパシタの一方の側面として用いてもよい。
【００２６】
図５に、図４の代替実施形態を示すが、この場合には、交互の列が異なるセットを用い、各列内の隣接するセンサ２０が結合されている。図４におけるように、全く同じラベルを付けられたセンサは等価である。しかし、この場合には、スイッチ３０間の各隙間領域２１が、（図４におけるように）隙間領域２１内の位置によって区別される（センサ２０の）同じ４つの電気的要素（ｅｌｅｃｔｒｉｃａｌ  ｅｎｔｉｔｙ）を含む代わりに、キーの隣接する列が、独自のセンサ２０を有している。換言すれば、列「１−２−３」および「７−８−９」は、それぞれ、対応するセンサ「ａ−ｂ−ｃ−ｄ」を備え、一方で、列「４−５−６」および「＊−０−♯」は、それぞれ、センサ「ｅ−ｆ−ｇ−ｈ」のみを備えている。これによって、各隙間領域２１内に一緒に一団にされたセンサ２０間を正確に区別するために電子機器にかかる要求が低下する。例えば、番号「５」の下側右にある２つのセンサ２０は、「ｇ」および「ａ」であるが、しかし番号「５」と関連するはずのタイプ「ａ」センサ２０の例はないので、制御アルゴリズムは、スイッチ「５」が作動されたときには、スイッチ「５」とセンサ「ｇ」との組み合わせに対応する出力を適切に生成し、センサ「ａ」の同時作動は無視するであろう。その結果として、静電容量測定および出力発生のための標準がより容易になる。この配列によってまた、システムは、非関連センサにおける測定値の増加を監視することが可能となる。同じ例を用いると、スイッチ「５」が押されたとき、センサ「ａ」で測定された信号の増加は、ユーザが、スイッチ「５」とセンサ「ｇ」との組み合わせに対応する出力を意図したことを示すであろう。これらの関連および非関連センサの測定値を比較することによって（およびそれらの相対的位置および形状を知ることによって）、システムは、指の方向およびユーザの意図をよりよく判定することができる。
【００２７】
図６を参照すると、センサ２０は、比較的堅いハウジング１８において、間隔を置いて配置された穴を通して突出しているキー１２を備えたキーマット２４の下にあるプリント回路基板２２に配置されている。また、ここでは金属ドームとして具体化されているスイッチ３０が示されている。本図はまた、中央から外れてキー１２を押し、一方でロケータ小塊１６と接触しているユーザの指２５との間の相互作用を示している。センサ２０は、スイッチ３０が作動された瞬間に、キー１２に対する指２５の位置を識別する。キー１２の任意の側に位置するセンサ２０間の差分測定値（differential measurement）は、ユーザの指２５の意図された位置を判定するための効果的な方法である。差分測定値が閾値を超える場合には、指２５は、中央から外れ、したがって、指２５の下に位置する補助機能グラフィック１４によって識別されかつその瞬間に作動されたスイッチ３０と関連する機能を求めているものと判定される。
【００２８】
図７の代替構成において、センサ２０は、キーマット２４の下面に配置されている。導電トレース（図示せず）が、センサ２０のアレイをプリント回路基板２２に接続する。図８に示す別の構成においては、センサ２０は、ハウジング１８に配置されている。導電トレースが、センサ２０をＰＣＢ２２に接続する。図９にさらに別の構成を示すが、この場合には、ハウジング１８は、キー１２とともに、屈折可能な（deflectable）プラスチック、エラストマまたは複合材料で一体的に成形される。導電トレースが、センサ２０をＰＣＢ２２に接続する。図６〜９において、金属ドーム触感フィードバック要素３２によって、触感フィードバックおよびスイッチ動作の両方が提供される。また図６〜９において、触感フィードバック要素３２は、ステンレス鋼ドームで作製され、そしてセンサ２０によりキャパシタの第２の側面が提供されるキャパシタの第１の側面として働くことによって、センサ２０の動作と電気的に一体化される。
【００２９】
本発明における多数の実施形態を開示してきた。しかしながら、本発明の趣旨および範囲から逸脱することなく、様々な修正が可能であることが理解されるであろう。したがって、他の実施形態も、特許請求の範囲の範囲内に入るものである。
【図面の簡単な説明】
【００３０】
図面の簡単な説明
【図１】第１のキーパッドの露出した表面を示す。
【図２】第２のキーパッドの露出した表面を示す。
【図３】図示したキーパッドのどちらにも有用な、センサおよびスイッチの代替配列を示す。
【図４】図示したキーパッドのどちらにも有用な、センサおよびスイッチの代替配列を示す。
【図５】図示したキーパッドのどちらにも有用な、センサおよびスイッチの代替配列を示す。
【図６】図３の線６、７、８、９に関し、代替キーパッド構成を示す、キーパッドの断面図である。
【図７】図３の線６、７、８、９に関し、代替キーパッド構成を示す、キーパッドの断面図である。
【図８】図３の線６、７、８、９に関し、代替キーパッド構成を示す、キーパッドの断面図である。
【図９】図３の線６、７、８、９に関し、代替キーパッド構成を示す、キーパッドの断面図である。
【図１】
2005525634.tif 000003
【図２】
2005525634.tif 000004
【図３】
2005525634.tif 000005
【図４】
2005525634.tif 000006
【図５】
2005525634.tif 000007
【図６】
2005525634.tif 000008
【図７】
2005525634.tif 000009
【図８】
2005525634.tif 000010
【図９】
2005525634.tif 000011
【国際調査報告】
2005525634.tif 000012